(57)【特許請求の範囲】
【請求項１】
無目に上レールを取付け、折戸の戸元側下端部に設けられた下部ピボットを床面に直付けされた下部固定用軸受け金具によって回転自在に支持するとともに、折戸の戸元側上端部に設けられた上部ピボットを前記上レールに移動不能に固定された上部固定用軸受け金具によって回転自在に支持し、かつ戸先側上端部に設けた吊り戸車のみを上レールに沿って走行自在とした構造の折戸において、
前記上部固定用軸受け金具は、折戸の戸元側上端部に設けられた前記上部ピボットの先端ブシュを嵌合させる嵌合凹部を有し、該嵌合凹部の外側に段状に連続して、嵌合凹部をレール方向に挟んで戸先側周壁と戸元側周壁とを形成するか嵌合凹部の全周を囲むように環状周壁を形成するとともに、前記戸先側周壁又は環状周壁の戸先側部分に前記先端ブシュが係合する顎部を形成し前記上部ピボットが抜け出ないように保持したことを特徴とする折戸。
【発明の詳細な説明】
【０００１】
【発明の属する技術分野】
本発明は、バリアフリーに対応させるために、下レールを設けることなく取り付けられる折戸に関する。
【０００２】
【従来の技術】
従来より、洋服タンス等の収納家具またはクローゼット等の収納建具に使用される折戸および間仕切り戸は、図８に示されるように、複数枚の扉５０，５０の側縁部分をお互いに蝶番５１、５１などにより連結して折り畳み自在とするとともに、取付け枠の上下枠部にそれぞれ上レール５２および下レール５３を取付け、たとえば折戸の戸元側上下部に前記上下レール５２，５３に嵌合され固定機構によりレールの所定位置に位置固定される軸受け金具５４，５５を設け、これら軸受け金具５４，５５によって折戸の上下端側ピボットを夫々回転自在に支持させるようにし、一方折戸の戸先側上下部には開閉に伴って上下レール５２，５３に沿って移動自在とされるランナ５６，５７を取付けて開閉自在としたものである。
【０００３】
近年のバリアフリー化の傾向により、前記下レール５３は床面より突出しない構造または突出量を僅かとした構造が採用されているが、バリアフリーのためには当然に下レールを設けずに、床面に境目のない構造とするのが望ましいことは言うまでもない。この場合の折戸の固定支持構造としては、床面に対して直接的に軸受け金具を固定し、折戸のピボットを嵌合させて回転自在に支持し、かつ戸先側の上縁部に吊り戸車を設け上レール内を走行させる構造が採用されている。
【０００４】
しかしながら、一般的に収納家具や収納建具の組立精度にも製作誤差があり、また床面と鴨居との間の距離が一定ではないため、隣接する扉間で高さ調整を必要としたり、回転軸位置の調整を必要とすることが多い。もちろん、これらの調整は折戸を建込みした状態で行えることが施工性の点から望ましい。
【０００５】
そこで本出願人は、先の特願2000-145930号において、折戸を建て込みした状態で折戸の高さ調整および回転軸位置調整を容易に行い得るようにした折戸類の固定用軸受け金具を提案した。この軸受け金具は、図９に示されるように、取付け枠の無目に上レール６０を取付け、折戸６１の戸元側下端部に設けられた下部ピボット６２を床面に直付けされた下部固定用軸受け金具６３によって回転自在に支持するとともに、折戸６１の戸元側上端部に設けられた上部ピボット６４を前記上レール６０に固定された上部固定用軸受け金具６５によって回転自在に支持した折戸である。
【０００６】
【発明が解決しようとする課題】
しかしながら、上記固定用軸受け金具６３，６５による折戸支持構造の場合には、折戸を言わば片持ち状態で支持するものであるため、折戸重量が重いと、高さ調整時に上部固定用軸受け金具６５から上部ピボット６４が抜け出すなどの問題が発生した。すなわち、図１０に示されるように、折戸６１の重心Ｏは戸の中心に位置し、回転中心軸Ｌから距離Ｓだけ離れた位置に折戸重量Ｗが掛かるようになるため、上部固定用軸受け金具６５には常時、水平方向力Ｈが作用するようになる。一方、ピボット軸６４ａは図１１に示されるように、内挿されたバネ６６により上方向に向けて付勢されているが、前記折戸重量Ｗがある程度の重量以上になると、前記水平方向力Ｈも比例的に増大し、ピボット軸６４ａの底板６４ｂと筒体６７の内壁６７ａとが強く接触するようになり、ピボット軸６４ａが摺動不能となる事態が生じた。ピボット軸６４ａが摺動不能な状態のまま、たとえば折戸６１を低く位置調整しようとすると、図１２に示されるように、折戸６１が下降してもピボット軸６４ａが外方に突出することなく、その突出状態のまま折戸６１と共に下降し、上部固定用軸受け金具６５の嵌合凹部６５ａから抜け出すことがあった。
【０００７】
そこで本発明の主たる課題は、バリアフリーに対応させるために、下レールを設けることなく取り付けられる折戸において、折戸の高さ調整時に、上レールに固定される上部固定用軸受け金具から上部ピボットが抜け出ないようにすることにある。
【０００８】
【課題を解決するための手段】
前記課題を解決するための本発明は、無目に上レールを取付け、折戸の戸元側下端部に設けられた下部ピボットを床面に直付けされた下部固定用軸受け金具によって回転自在に支持するとともに、折戸の戸元側上端部に設けられた上部ピボットを前記上レールに移動不能に固定された上部固定用軸受け金具によって回転自在に支持し、かつ戸先側上端部に設けた吊り戸車のみを上レールに沿って走行自在とした構造の折戸において、
前記上部固定用軸受け金具は、折戸の戸元側上端部に設けられた前記上部ピボットの先端ブシュを嵌合させる嵌合凹部を有し、該嵌合凹部の外側に段状に連続して、嵌合凹部をレール方向に挟んで戸先側周壁と戸元側周壁とを形成するか嵌合凹部の全周を囲むように環状周壁を形成するとともに、前記戸先側周壁又は環状周壁の戸先側部分に前記先端ブシュが係合する顎部を形成し前記上部ピボットが抜け出ないように保持したことを特徴とするものである。
【０００９】
【発明の実施の形態】
以下、本発明の実施の形態について図面を参照しながら詳述する。
図１は本発明に係る折戸１の取付け状態を示す斜視図であり、図２は折戸１を上部側で支持する上部固定用軸受け金具３の側面図、図３はその底面図、図４は断面図である。
【００１０】
折戸１は、図１に示されるように、取付け枠の無目９に上レール５を取付け、折戸１の戸元側下端部に設けられた下部ピボット７を床面６に直付けされた下部固定用軸受け金具２によって回転自在に支持するとともに、折戸１の戸元側上端部に設けられた上部ピボット８を前記上レール５に移動不能に固定された上部固定用軸受け金具３によって回転自在に支持し、かつ戸先側上端部に設けた吊り戸車４を上レール５に沿って走行自在とした構造の折戸である。なお、前記吊り戸車４に代えて摺動ピボットを用いることもできる。
【００１１】
前記上部固定用軸受け金具３（以下、単に受け金具ともいう。）は、詳細には図２に示されるように、折戸１の戸元側上端部に設けられた上部ピボット８を回転自在に支持する受け金具本体部１０Ａと、上レール５に対して固定を図るレール固定部１０Ｂと、前記レール固定部１０Ｂで緩みが生じても受け金具３が移動しないように無目９に対してネジ止めを図るネジ固定部１０Ｃとから構成され、両側部に部材全長に亘って上レール５の水平突片５ａ、５ａに係合する側部スリット溝１１が形成された部材で、図４に示されるように、上レール５にスライド可能に嵌合された後、所定の位置に固定される。
【００１２】
以下、具体的に詳述すると、
前記受け金具本体部１０Ａの下面側には、下方に開口を臨ませて前記上部ピボット８、実際には前記上部ピボット８の先端部に軸芯回りに回動自在に取着された先端ブシュ１２が嵌合されるピボット嵌合凹部１０ａが形成されている。前記先端ブシュ１２は、嵌合突部１２ａと、これに連続するフランジ部１２ｂとからなり、中心に上下方向に貫通する挿通孔１２ｃが形成された部材で、上部ピボット８のピボット軸部８ａを挿通した後、軸部先端をカシメて軸芯回りに回動自在に取着されている。前記先端ブシュ１２の下側には、ピボット軸部８ａの回転を円滑にするために摺動リング１３が外嵌されている。
【００１３】
前記ピボット嵌合凹部１０ａの外側には、前記嵌合凹部１０ａを間に挟んで上レール５方向にそれぞれ略弧状の戸先側周壁１４と、戸元側周壁１５とが形成されている。前記戸先側周壁１４の内側弧線と、戸元側周壁１５の内側弧線とに挟まれた空間内には、前記先端ブシュ１２のフランジ部１２ｂが位置するようになっており、前記戸先側周壁１４には、図５に詳細に示されるように、ほぼ中心位置に外方側に突出する突部１４ａが形成され、前記フランジ部１２ｂが係合する顎部１６が形成されている。したがって、折戸１の建込み状態時には、前述のように（図１０参照）、上部固定軸受け金具３には常時、水平方向力Ｈが作用している結果、前記顎部１６に先端ブシュ１２のフランジ部１２ｂが係合するようになり、上部ピボット８が抜け出ないように確実に保持されるようになるのはもちろんのこと、建付け時の折戸高さ調整時において、折戸１を下方側に移動調整しても、前記フランジ部１２ｂが顎部１６に係合しているため、折戸１と共に下方側に移動することはなく、抜け出しを確実に防止できるようになる。なお、本例では、受け金具３の幅寸法からの制約から上レール５方向に対向させて、一対の戸先側周壁１４と戸元側周壁１５とを形成するようにしたが、フランジ部１２ｂの全周を囲むように環状に形成するようにしてもよい。
【００１４】
一方、前記レール固定部１０Ｂは、前記側部スリット溝１１よりも上部側部分を切り欠いて段状凹部１７とするとともに、前記段状凹部１７のほぼ中央に上下方向に貫通するネジ通孔１８を形成し、下面側から前記ネジ通孔１８に固定ボルト１９を挿入し、裏面側に配設された方形状のネジ板２０に螺合させている。前記ネジ板２０の四隅端部２０ａ、２０ａ…はそれぞれ、側部スリット溝１１側に浅く屈曲され、上レール５に嵌合させた状態で前記固定ボルト１９を時計回り方向に回転させると、前記ネジ板２０が引き込まれ、図４に示されるように、前記四隅端部２０ａ、２０ａ…が上レール５の水平突片５ａ、５ａに刻入し、前記受け金具３を上レール５の所定位置に固定できるようになっている。
【００１５】
前記レール固定部１０Ｂに隣接するネジ固定部１０Ｃには、上下方向に貫通して２本のビス通孔２１ａ,２１ｂが形成されており、これらビス通孔２１ａ、２１ｂの内の一つに、木ねじ２２を挿通し無目９に螺入させて受け金具３を堅固に固定する。なお、ビス通孔２１ａ、２１ｂの内の他方は、将来の固定位置変更のための予備孔である。
【００１６】
かかる上部固定用軸受け金具３による折戸１の建込みは下記の要領によって行う。
【００１７】
図６に示されるように、床面Ｆの端部に下部固定用軸受け金具２を固定する一方、上レール５に上部固定用軸受け金具３を挿入するとともに、上レール５の端部から若干戸先側に移動させた状態としておく。そして、折戸１を傾けながら、折戸１の下部ピボット７を前記下部固定用軸受け金具２の嵌合凹部に嵌合させるとともに、上部固定用軸受け金具３の嵌合凹部１０ａに対し上部ピボット８の先端ブシュ１２を嵌合させる。なお、図７に示されるように、前記嵌合凹部１０ａの内径および戸先側周壁１４と戸元側周壁１５との間の挿入幅は、前記折戸１を傾けた状態で先端ブシュ１２を挿入できる寸法としておく。
【００１８】
上部ピボット８を上部固定用軸受け金具３の嵌合凹部１０ａに嵌合させたならば、上部固定用軸受け金具３を上レール５に沿って戸元側に移動させ、上部ピボット８の位置が下部ピボット７の鉛直線上に位置したならば、固定ボルト１９を時計方向に回転させて上部固定用軸受け金具３を固定するとともに、木ねじ２２を螺入し堅固に固定する。
【００１９】
【発明の効果】
以上詳説のとおり本発明によれば、平常時はもちろんのこと、折戸の高さ調整時において、上部固定用軸受け金具から上部ピボットが抜け出すのを確実に防止できるようになる。
【図面の簡単な説明】
【図１】  本発明に係る折戸１の取付け状態を示す斜視図である。
【図２】  折戸の上部固定用軸受け金具３を示す側面図である。
【図３】  その底面図である。
【図４】  横断面図（図２のIV−IV線矢視）である。
【図５】  ピボット嵌合凹部１２の要部拡大横断面図である。
【図６】  折戸１の建込み要領図である。
【図７】  折戸建込み時の上部ピボット嵌合状態を示す要部拡大断面図である。
【図８】  上下レール５２，５３を用いた折戸支持構造の斜視図である。
【図９】  直付け型固定用軸受け金具６３，６５による折戸支持構造図である。
【図１０】  折戸自重によって上部固定用軸受け金具６５に対する水平力発生状況の説明図である。
【図１１】  上部ピボット６４の嵌合支持状態図である。
【図１２】  折戸の高さ調整時に上部ピボット６４の抜け出し状況図である。
【符号の説明】
１…折戸、２…下部固定用軸受け金具、３…上部固定用軸受け金具、４…吊り戸車、５…上レール、７…下部ピボット、８…上部ピボット、１０Ａ…受け金具本体部、１０Ｂ…レール固定部、１０Ｃ…ネジ固定部、１１…側部スリット溝、１２…先端ブシュ、１２ａ…嵌合突部、１２ｂ…フランジ部、１４…戸先側周壁、１５…戸元側周壁、１６…顎部、１９…固定ボルト、２０…ネジ板、２２…木ねじ
【図１】
0004290856.tif 000002
【図２】
0004290856.tif 000003
【図３】
0004290856.tif 000004
【図４】
0004290856.tif 000005
【図５】
0004290856.tif 000006
【図６】
0004290856.tif 000007
【図７】
0004290856.tif 000008
【図８】
0004290856.tif 000009
【図９】
0004290856.tif 000010
【図１０】
0004290856.tif 000011
【図１１】
0004290856.tif 000012
【図１２】
0004290856.tif 000013